(57)【特許請求の範囲】
【請求項１】
縦方向および横方向と、身体側および着衣側と、前記縦方向に連なる前ウエスト域、後ウエスト域および前記前後ウエスト域間に位置するクロッチ域と、少なくとも前記クロッチ域に配置される吸液構造体とを有するシャーシと、前記吸液構造体の前記身体側に形成され厚さ方向に貫通する複数の通路を有する網目構造体とを含む吸収性物品において、
前記網目構造体の一部を覆う被覆シートを含み、
前記被覆シートは、前記横方向に互いに離間して開口部を形成して前記縦方向へ延びる一対の両側シート部を含み、前記両側シート部は、前記横方向に対向し前記縦方向へ延びる内外側縁を有し、
前記網目構造体は、前記横方向に対向し前記縦方向へ延びる両側端と、前記縦方向に対向し前記横方向へ延びる両端縁とを有し、前記クロッチ域から前記後ウエスト域へと亘って配置され、複数の隔壁により、前記網目構造体の前記身体側と前記着衣側とで開口し、前記網目構造体の厚さ方向に貫通する複数の通路が形成され、
前記両側シート部の前記外側縁は前記シャーシの前記身体側に接合され、前記両側シート部の前記内側縁は前記網目構造体の前記側縁を超えて前記網目構造体の前記身体側に接合され、
前記被覆シートの前記身体側に形成され前記横方向に離間して前記縦方向へ延びる一対の漏れバリアカフをさらに含み、
前記漏れバリアカフは、前記横方向に対向し前記縦方向へ延びる基側縁および自由側縁と、前記自由側縁に前記縦方向に伸長状態で取り付けたカフ弾性部材とを含み、前記基側縁を前記シャーシに接合するとともに、前記自由側縁を含む部分が前記カフ弾性部材の収縮によって前記シャーシから離間し、
前記基側縁から自由側縁までの前記横方向の寸法は、前記開口部から露出する網目構造体に重なることが可能な長さに設定されることを特徴とする前記吸収性物品。
【請求項２】
前記網目構造体と前記シャーシとの間には吸液シートをさらに含み、前記吸液シートは吸水度が２００ｍｍ／分〜３０ｍｍ／分である請求項１記載の吸収性物品。
【請求項３】
前記被覆シートは、前記縦方向に離間して前記横方向へ延びる一対の両端シート部をさらに有し、前記両端シート部は、前記縦方向に対向し前記横方向へ延びる内外端縁を有し、
前記両端シート部の外端縁は前記シャーシの前記身体側に接合され、前記両端シート部の内端縁は前記網目構造体の端縁よりも前記縦方向の内側において前記網目構造体の前記身体側に接合される請求項１または２に記載の吸収性物品。
【請求項４】
前記両側シート部と前記両端シート部とは、別体のシートである請求項３に記載の吸収性物品。
【発明の詳細な説明】
【技術分野】
【０００１】
この発明は、吸収性物品に関し、さらに詳しくは使い捨てのおむつ、排便トレーニングパンツ、失禁ブリーフ等の吸収性物品に関する。
【背景技術】
【０００２】
従来、使い捨てのおむつにおいて、網目状のパネルを有するものとして、例えば特開２００１−２７６１２１号公報（特許文献１）が公知である。この特許文献１によれば、透液性表面シートと、不透液性裏面シートと、これら表裏面シートの間に介在する吸液性コアとを有するおむつにおいて、表面シートの身体側に網目状でシート状のパネルが取り付けられている。パネルは、網目を形成する障壁部と、障壁部の間に形成されたパネルを貫通する開口部とを備え、この開口部に排泄された便等が捕集されるようにしている。開口部で便を捕集することができるので、パネルの着用者側に便が残留せず、便が着用者の肌に接触するのを抑制することができる。
【特許文献１】特開２００１−２７６１２１号公報
【発明の開示】
【発明が解決しようとする課題】
【０００３】
パネルは接着または溶着によって表面シートに接合されている。パネルと表面シートとは、開口部では接合されず、接合されるのは障壁部に限定されるから、接合面積が小さくなり、パネルが表面シートから剥がれやすい。パネルが表面シートから剥がれると、パネルが表面シートから浮き上がり、これらの間に空間が形成される。この空間はクロッチ域から前後ウエスト域に亘る。この空間を便が流動し、流動した便が開口部を逆戻りして着用者の肌に広範囲で付着する可能性がある。
【０００４】
この発明では、網目構造体がシャーシから浮き上がるのを抑制して、便が着用者の肌に付着するのを抑制することを課題とする。
【課題を解決するための手段】
【０００５】
この発明は、縦方向および横方向と、身体側および着衣側と、前記縦方向に連なる前ウエスト域、後ウエスト域および前記前後ウエスト域間に位置するクロッチ域と、少なくとも前記クロッチ域に配置される吸液構造体とを有するシャーシと、前記吸液構造体の前記身体側に形成され厚さ方向に貫通する複数の通路を有する網目構造体とを含む吸収性物品の改良に関わる。
【０００６】
この発明は前記吸収性物品において、前記網目構造体の一部を覆う被覆シートを含む。前記被覆シートは、前記横方向に互いに離間して開口部を形成して前記縦方向へ延びる一対の両側シート部を含み、前記両側シート部は、前記横方向に対向し前記縦方向へ延びる内外側縁を有する。前記網目構造体は、前記横方向に対向し前記縦方向へ延びる両側端と、前記縦方向に対向し前記横方向へ延びる両端縁とを有し、前記クロッチ域から前記後ウエスト域へと亘って配置され、複数の隔壁により、前記網目構造体の前記身体側と前記着衣側とで開口し、前記網目構造体の厚さ方向に貫通する複数の通路が形成される。前記両側シート部の前記外側縁は前記シャーシの前記身体側に接合され、前記両側シート部の前記内側縁は前記網目構造体の前記側縁を超えて前記網目構造体の前記身体側に接合される。前記被覆シートの前記身体側に形成され前記横方向に離間して前記縦方向へ延びる一対の漏れバリアカフをさらに含む。前記漏れバリアカフは、前記横方向に対向し前記縦方向へ延びる基側縁および自由側縁と、前記自由側縁に前記縦方向に伸長状態で取り付けたカフ弾性部材とを含み、前記基側縁を前記シャーシに接合するとともに、前記自由側縁を含む部分が前記カフ弾性部材の収縮によって前記シャーシから離間する。前記基側縁から自由側縁までの前記横方向の寸法は、前記開口部から露出する網目構造体に重なることが可能な長さに設定されることを特徴とする。
【０００９】
好ましい実施態様のひとつとして、前記網目構造体と前記シャーシとの間には吸液シートをさらに含み、前記吸液シートは吸水度が２００ｍｍ／分〜３０ｍｍ／分である。
吸水度は、ＪＩＳ  Ｐ８１４１のクレム法によって測定される。
【００１１】
好ましい他の実施形態のひとつとして、前記被覆シートは、前記縦方向に離間して前記横方向に延びる一対の両端シート部を含み、前記両端シート部は、前記縦方向に対向し前記横方向に延びる内外側縁を含む。前記網目構造体は、前記縦方向に対向し横方向に延びる両端縁を含み、前記両端シート部の外側縁は前記シャーシの身体側に接合され、前記両端シート部の内側縁は前記網目構造体の端縁を超えて前記網目構造体の身体側に接合されることを特徴とする。
好ましい他の実施形態のひとつとして、前記両側シート部と前記両端シート部とは、別体のシートである。
【発明の効果】
【００１２】
網目構造体には複数の通路が形成され、この通路によって排泄物等を捕集することができるので、排泄物等の流動を抑制することができる。したがって、排泄物等が着用者の肌に広範囲で付着するのを抑制することができ、排泄物等による肌トラブルを抑制することができる。また、網目構造体の両側部を被覆シートで押えることとしたので、網目構造体をシャーシに密着させることができる。したがって、網目構造体とシャーシとの間を排泄物が流動するのを抑制することができ、排泄物等による肌トラブルをより一層抑制することが可能となる。
【００１３】
網目構造体は、クロッチ域から後ウエスト域へと亘って形成されることとしたので、特に肌トラブルを引き起こしやすい便を効率的に捕集することができ、より一層肌トラブルを抑制することができる。
【００１４】
被覆シートの身体側に漏れバリアカフを形成している。したがって、排泄物が被覆シートから漏れ出したとしても、漏れバリアカフによっておむつ外に漏れるのを抑制することができる。さらに、漏れバリアカフの基端縁から自由端縁までの横方向の寸法を開口部から露出した網目構造体に積層可能な長さとしているので、網目構造から排泄物が漏れ出てしまうのを抑制することができる。また漏れバリアシートによって横方向への排泄物の漏れを抑制することができ、排泄物を空隙へと収容することができるから、排泄物の漏れをより一層抑制することができる。
【００１５】
網目構造体とシャーシとの間に吸水度が２００ｍｍ／分〜３０ｍｍ／分である吸液シートをさらに含むこととしたので、速やかに水分を吸収するとともに、この水分を吸液構造体へと導くことができる。したがって、排泄物が水分を多く含む状態で逆流するのを抑制することができる。さらに、網目構造体によって排泄物の流動が低下させているので、より一層吸液シートでの水分の吸収を速やかにおこなうことが可能である。
【００１６】
網目構造体は、接着によってシャーシまたは吸液シートに固着されるようにしているので、より一層網目構造体がシャーシ側から剥がれて浮き上がってしまうのを抑制することができる。
【００１７】
被覆シートは、縦方向に離間して横方向に延びる一対の両端シート部を含み、この両端シート部によって網目構造体をシャーシ側へと付勢することができるので、より一層網目構造体がシャーシ側から剥がれて浮き上がるのを抑制することができる。
【発明を実施するための最良の形態】
【００１８】
吸収性物品として使い捨ておむつを用い、この発明の一例を説明する。
＜第１の実施形態＞
【００１９】
図１はおむつ１の平面図であり、説明のためにその一部を破断させている。図示したように、おむつ１は、いわゆるオープン型のものであり、吸液性のシャーシ２と網目構造体３と被覆シート４と漏れバリアカフ５とを含む。図２に示したように、おむつ１はシャーシ２の身体側に吸液シート８を介して網目構造体３を積層し、網目構造体３の身体側に被覆シート４を積層し、被覆シート４の身体側両側部に漏れバリアカフ５を積層している。
【００２０】
図３は、シャーシ２の詳細を示した図であり、その説明のために一部を破断している。シャーシ２は、身体側内面を形成する内面シート６と着衣側外面を形成する外面シート７とを含む。シャーシ２は、前後ウエスト域９，１０と前後ウエスト域９，１０間に位置するクロッチ域１１とを含み、これら前ウエスト域９、クロッチ域１１、後ウエスト域１０が連なる方向を縦方向Ｙとし、この縦方向Ｙに直交する方向を横方向Ｘとしている。シャーシ２は、縦方向Ｙに対向して横方向Ｘに延びる前後端縁１２，１３と、横方向Ｘに対向して縦方向Ｙに延びる両側縁１４とを含む。両側縁１４は前後ウエスト域９，１０に位置する前後側縁１５，１６と、クロッチ域１１に位置するレッグ側縁１７とを有している。シャーシ２は、レッグ側縁１７において横方向Ｘの寸法を二等分する縦中心線Ｐ−Ｐに向かって湾曲し、全体として砂時計型を形成している。
【００２１】
シャーシ２は、前後端縁１２，１３において横方向Ｘに延びる前後ウエスト弾性部材１８，１９が取り付けられている。前後ウエスト弾性部材１８，１９は、内外面シート６，７の間に介在し、横方向Ｘに伸長状態で図示しない接着剤によって取り付けられている。クロッチ域１１には、レッグ側縁１７に沿って延びる複数条のレッグ弾性部材２０を取り付けている。レッグ弾性部材２０は、内外面シート６，７の間に介在し、伸長状態で図示しない接着剤によって取り付けられている。
【００２２】
内外面シート６，７の間には吸液構造体２１を介在させている。吸液構造体２１は、フラッフパルプと高吸収性ポリマー粒子との混合物等を有する吸液性芯材２２と、この芯材２２を包むティッシュペーパ等の液拡散シート２３とを含む。吸液構造体２１と外面シート７との間には、不透液性の漏れバリアシート２４を介在させ、吸液構造体２１からおむつ１外への尿等の排泄物の漏れを抑制している。
シャーシ２の後側縁１６には、テープファスナ２５を形成し、このテープファスナ２５を前ウエスト域９の外面シート７に離脱可能に係合することによって、おむつ１が立体形状を形成するようにしている。このようにおむつ１が立体形状になったときには、前後端縁１２，１３によってウエスト開口を形成し、レッグ側縁１７によってレッグ開口が形成される。
【００２３】
図４は、網目構造体３を詳細に示したものである。網目構造体３は、横方向Ｘに対向し縦方向Ｙに延びる両側縁３３と、縦方向Ｙに対向し横方向Ｘに延びる両端縁３４とを含む。網目構造体３は、クロッチ域１１から後ウエスト域１０にかけて配置され複数の隔壁２６を接合部２７で接合することによって網目構造を形成し、これら隔壁２６の間では網目構造体３の身体側と着衣側とで開口しその厚さ方向に貫通する複数の通路２８が形成される。
【００２４】
網目構造体３は、図２に示したように、吸液シート８を介してシャーシ２に接合されているが、吸液シート８はフラップパルプ等を圧縮してシート状にしたものであり、吸水度が約２００ｍｍ／分〜３０ｍｍ／分の範囲にあるものが望ましい。吸水度はＪＩＳ  Ｐ８１４１のクレム法によって測定した。フラッフパルプにポリマー粒子を混合して使用することもできる。このような吸液シート８は、シャーシ２のクロッチ域１１から後ウエスト域１０にかけて位置するとともに、内面シート６に接着または溶着により接合されている。
【００２５】
図２に示したように、被覆シート４は透液性の不織布等から形成され、網目構造体３の身体側に積層されている。被覆シート４は、その縦方向Ｙの長さ寸法を、シャーシ２の縦方向Ｙの長さ寸法とほぼ等しくなるようにし、横方向Ｘの長さ寸法を網目構造体３の横方向Ｘの長さ寸法よりも大きくなるようにしている。被覆シート４には、開口部２９が形成されている。
【００２６】
開口部２９の横方向Ｘの両側には縦方向Ｙに延びる両側シート部３０が形成され、縦方向Ｙの両端には横方向Ｘに延びる両端シート部３１が形成される。言い換えれば、両側シート部３０および両端シート部３１によって開口部２９が形成されるようにしている。この開口部２９はクロッチ域１１から後ウエスト域１０にかけて配置され、開口部２９から網目構造体３が露出するように、被覆シート４を網目構造体３に積層している。開口部２９から露出する通路２８の開口面積は、網目構造体３の表面積に対して約２０〜９９％であることが望ましい。具体的には、開口部２９から露出する通路２８の開口面積は、約２５００〜１６０００ｍｍ２とすることが望ましい。
【００２７】
被覆シート４の両側シート部３０は、縦方向Ｙに延びて被覆シート４の外形を形成する外側縁３０ａと、開口部２９を形成する内側縁３０ｂとを含む。両端シート部３１は、横方向Ｘに延びて被覆シートの外形を形成する外端縁３１ａと、開口部２９を形成する内端縁３１ｂとを含む。
【００２８】
漏れバリアカフ５は不透液性の不織布等から形成され、縦方向Ｙに延びる一対のシートから形成されている。漏れバリアカフ５は、縦中心線Ｐ−Ｐに対して離間対向し、その縦方向Ｙの長さ寸法は、シャーシ２の長さ寸法とほぼ等しくなるようにしている。漏れバリアカフ５は基側縁５ａをシャーシ２に接合し、自由側縁５ｂは接合していない。自由側縁５ｂには、この縁に沿って縦方向Ｙに延びるカフ弾性部材３２を伸長状態で取り付けている。漏れバリアカフ５は、カフ弾性部材３２の収縮力によって、基側縁５ａを支点としてシャーシ２から自由側縁５ｂを含む部分が起立するように離間して漏れに対するバリアを形成し、便漏れ等を抑制している。漏れバリアカフ５の基側縁５ａから自由側縁５ｂまでの横方向Ｘの長さ寸法は、開口部２９から露出する網目構造体３に重なることが可能な長さを有している。すなわち、基側縁５ａから自由側縁５ｂまでの横方向Ｘの長さ寸法は、少なくとも両側シート部３０の横方向Ｘの長さ寸法よりも大きくなるようにしている。
【００２９】
図５は、図１のＶ−Ｖ線端面図である。図示したように、吸液構造体２１、吸液シート８、網目構造体３、被覆シート４、漏れバリアカフ５が、身体側に向かって順に積層されている。網目構造体３は、隔壁２６が接着または溶着によって吸液シート８に接合され、通路２８によって身体側と吸液シート８とが連通するようにしている。
被覆シート４は、両側シート部３０の外側縁３０ａが網目構造体３の幅方向Ｘの外側に延び、内面シート６に溶着または接着によって接合している。両側シート部３０の内側縁３０ｂは、網目構造体３の側縁３３を超えての幅方向Ｘ内側に延び、隔壁２６の身体側に溶着または接着によって接合している。したがって、網目構造体３の側縁３３は被覆シート４の両側シート部３０によって、着衣側に押し付けられるようにして接合される。
【００３０】
網目構造体３が被覆シート４で押し付けられるので、網目構造体３の両側縁３３は被覆シート４によってつぶされて、その厚さ方向の寸法が短くなっている。このように両側縁３３の厚さが薄くなることによって、起立するように離間した漏れバリアカフ５の自由側縁５ｂから網目構造体３の隔壁２６との離間距離を大きくすることができる。自由側縁５ｂから隔壁２６までの離間距離が大きくなることによって、網目構造体３で捕集された排泄物が漏れバリアカフ５を超えておむつ１外に漏れるのを抑制することができる。
【００３１】
上記のようなおむつ１を着用する場合には、被覆シート４の開口部２９が着用者の肛門に位置するようにして、テープファスナ２５を前ウエスト域９の外面シート７に離脱可能に係合させる。したがって、排泄された便を開口部２９を介して網目構造体３に導くことができる。便は網目構造体３の通路２８に入り込む。通路２８は隔壁２６によって隔離されているので、その通路２８に便を収容することができる。したがって、排泄された便の流動性が低下して、便が広い範囲で肌に付着するのを抑制することができる。さらに、便は通路２８を介して吸液シート８に接触する。吸液シート８は高い吸水度を有するので、収容された便中の水分を吸液構造体２１側へと速やかに移動させることができる。したがって水分の多い軟便が排泄された場合であっても、その水分を速やかに吸液構造体２１で吸収することができ、肌へ軟便が逆流するのを抑制することができる。
【００３２】
網目構造体３は被覆シート４によって吸液シート８へと押さえつけられているので、吸液シート８から剥がれて浮き上がってしまうということがない。したがって、通路２８に収容された便は、縦方向Ｙあるいは横方向Ｘに移動することがなく、その場で吸液構造体２１に吸収される。したがって、広範囲に便が移動して、この便が肌に付着してしまうということがない。
【００３３】
図６は、図１の縦中心線Ｐ−Ｐにおける端面図である。図示したように、被覆シート４は、両端シート部３１の外端縁３１ａが網目構造体３の縦方向Ｙの外側に延び、内面シート６に溶着または接着によって接合している。両端シート部３１の内端縁３１ｂは、網目構造体３の端縁３４を超えての縦方向Ｙの内側に延び、隔壁２６の身体側に溶着または接着によって接合している。したがって、網目構造体３の端縁３４は被覆シート４の両端シート部３１によって、着衣側に押し付けられるようにして接合される。
【００３４】
網目構造体３が被覆シート４で押し付けられるので、網目構造体３の両端縁３４は被覆シート４によってつぶされて、その厚さ方向の寸法が短くなっている。このように両端縁３４の厚さが薄くなることによって、網目構造体３から吸液シート８、吸液構造体２１への段差が小さくなる。段差が大きいとこれによって肌への刺激が大きくなり、肌トラブルを生じる可能性がるが、段差を小さくすることによって肌トラブルを抑制することができる。
【００３５】
網目構造体３は吸液シート８に接着または溶着によって接合されるようにしているが、吸液シート８が取り付けられていない場合には網目構造体３をシャーシ２の内面シート６に直接接合してもよい。また吸液シート８に代えて他の透液性のシートを用いるようにしてもよい。吸液シート８としては、例えば天然繊維あるいは合成繊維を圧縮してシート状にしたもの、このシートにさらに高吸収ポリマー粒子を含むもの、または、その他一般的な繊維不織布を使用することができる。天然繊維としては、例えばセルロース系天然繊維、吸水性を有する粉砕パルプや綿等を再生したセルロース系再生繊維、その他一般的な繊維を使用することができる。合成繊維としては、例えば親水処理が施されたポリオレフィン系繊維、ポリエステル系繊維、ポリアミド系繊維、その他一般的な繊維を使用することができる。ポリマー粒子としては、例えばデンプン系、セルロース系、合成ポリマー系のものを使用することができる。
＜第２の実施形態＞
【００３６】
図７は第２の実施形態のおむつ１を示したものである。この第２の実施形態においては、被覆シートのみが第１の実施形態と異なり、他の部材は第１の実施形態と同様である。したがって、同様の部材についての説明を省略する。
図示したように、被覆シート３５は、横方向Ｘに離間して縦方向Ｙに延びる一対の両側シート部３６と、縦方向Ｙに離間して横方向Ｘに延びる一対の両端シート部３７とを含む。両側シート部３６と両端シート部３７は、それぞれ別のシートである。
【００３７】
両側シート部３６は、網目構造体３の身体側に積層されている。一対の両側シート部３６は縦中心線Ｐ−Ｐに対称に位置し、横方向Ｘの外側に位置して縦方向Ｙに延びる外側縁３６ａと、横方向Ｘの内側に位置して縦方向Ｙに延びる内側縁３６ｂとを含む。外側縁３６ａは網目構造体３の側縁３３の横方向Ｘの外側においてシャーシ２の内面シート６に接着または溶着によって接合している。内側縁３６ｂは、側縁３３を超えて網目構造体３の身体側に接着または溶着によって接合している。ただし、内側縁３６ｂであって網目構造体３に重なっていない部分においては、外側縁３６ａと同様に内面シート６に接合している。したがって、網目構造体３の両側縁３３は、両側シート部３６によって覆われる。
【００３８】
両端シート部３７は、両側シート部３６の身体側に積層されている。一対の両端シート部３７は縦方向Ｙの外側に位置して横方向Ｘに延びる外端縁３７ａと、縦方向Ｙの内側に位置して横方向Ｘに延びる内端縁３７ｂと、縦方向Ｙに延びる両側縁３７ｃとを含む。外端縁３７ａは網目構造体３の端縁３４の縦方向Ｙの外側においてシャーシ２の内面シート６に接着または溶着によって接合している。内端縁３７ｂは、端縁３４を超えて網目構造体３の身体側に接着または溶着によって接合している。したがって、網目構造体３の両端縁３４は、両端シート部３７によって覆われる。両側縁３７ｃは両側シート部３６の身体側に接着または溶着によって接合している。
【００３９】
網目構造体３の両側縁３３および両端縁３４が、両側シート部３６および両端シート部３７によってそれぞれ覆われ、これらシート部３６，３７がその外側縁３６ａ，外端縁３７ａを内面シート６に、その内側縁３６ｂ，内端縁３７ｂを網目構造体３の身体側に接合されることによって、網目構造体３はシャーシ２側に付勢され、内面シート６から剥がれて浮き上がることがない。したがって特に軟便等の排泄物を網目構造体３の通路２８で保持することができ、軟便が広がって肌トラブルを引き起こすのを抑制することができる。さらに、網目構造体３と吸液構造体２１との段差を小さくすることができるので、漏れバリアカフ５の起立を妨げることがなく、肌への刺激を少なくすることができる。
【図面の簡単な説明】
【００４０】
【図１】第１の実施形態のおむつの平面図。
【図２】おむつの分解組み立て図。
【図３】シャーシの説明図。
【図４】網目構造体の説明図。
【図５】図１のＶ−Ｖ線端面図。
【図６】図１の縦中心線における端面図。
【図７】第２の実施形態のおむつの平面図。
【符号の説明】
【００４１】
１    おむつ
２    シャーシ
３    網目構造体
４    被覆シート
５    漏れバリアカフ
８    吸液シート
９    前ウエスト域
１０    後ウエスト域
１１    クロッチ域
１２    前端縁
１３    後端縁
１４    両側縁
２１    吸液構造体
３０    両側シート部
３０ａ  外側縁
３０ｂ  内側縁
３１    両端シート部
３１ａ  外端縁
３１ｂ  内端縁
３３    両側縁
３４    両端縁
３５    被覆シート
３６    両側シート部
３６ａ  外側縁
３６ｂ  内側縁
３７    両端シート部
３７ａ  外端縁
３７ｂ  内端縁

【図１】
0005207356.tif 000002
【図２】
0005207356.tif 000003
【図３】
0005207356.tif 000004
【図４】
0005207356.tif 000005
【図５】
0005207356.tif 000006
【図６】
0005207356.tif 000007
【図７】
0005207356.tif 000008